(57)【要約】【課題】記録媒体に対する処理の効率化を図り、記録媒体に対する処理に要する時間の短縮化を実現する。【解決手段】ホスト側制御部は、磁気ヘッド５４等によって小切手４に記録された情報が読み取られた後、小切手４を第１小切手排出部７へ搬送して収納すると共に、小切手４を第１小切手排出部７へ搬送している間に情報の読み取りが成功したか否かを判別し、読み取りが成功したと判別した場合、小切手４が第１小切手排出部７に収納された状態を維持する一方、読み取りが失敗したと判別した場合、小切手４を第１小切手排出部７から第２小切手排出部８へと搬送する。【選択図】図１
2011160254.tif 000002
【特許請求の範囲】
【請求項１】
記録媒体の搬送路と、この搬送路を搬送される記録媒体に記録された情報を読み取る情報読取部と、前記情報読取部による情報の読み取りの結果の正／不正を判別する判別部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部と、
前記情報読取部によって記録媒体に記録された情報を読み取り、当該記録媒体を前記第１収納部へ搬送すると共に、当該記録媒体を前記第１収納部へ搬送している間に前記判別部により前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により当該記録媒体を前記第１収納部から前記第２収納部へと搬送する制御部と、を備えることを特徴とする記録媒体処理装置。
【請求項２】
前記収納部間搬送部の少なくとも一部は、前記第１収納部内に配置することを特徴とする請求項１に記載の記録媒体処理装置。
【請求項３】
前記情報読取部は、記録媒体に記録された磁気インク文字を読み取る磁気インク文字読取部と、情報に係る画像を光学的に読み取る光学情報読取部とのうち少なくとも一方を備え、
前記制御部は、
前記情報読取部によって記録媒体に記録された磁気インク文字又は情報に係る画像を読み取り、当該記録媒体を前記第１収納部へ搬送すると共に、当該記録媒体を前記第１収納部へ搬送している間に、前記判別部によって前記情報読取部による前記磁気インク文字又は情報に係る画像の読み取りが成功したか否かを判別し、読み取りが成功したと判別した場合、当該記録媒体を前記第１収納部に収納する一方、読み取りが失敗したと判別した場合、前記収納部間搬送部により当該記録媒体を前記第１収納部から前記第２収納部へと搬送することを特徴とする請求項１または２に記載の記録媒体処理装置。
【請求項４】
前記第１収納部の上流に設けられ、前記搬送路を搬送される記録媒体の画像を光学的に読み取る光学画像読取部を備え、
前記制御部は、
前記情報読取部によって記録媒体に記録された情報を読み取り、当該記録媒体を前記第１収納部へ搬送すると共に、当該記録媒体を前記第１収納部へ搬送している間に、前記判別部により前記情報読取部による情報の読み取りの結果の正／不正を判別すると共に、前記光学画像読取部により読み取られた画像の処理を行うことを特徴とする請求項１または２に記載の記録媒体処理装置。
【請求項５】
記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置と、
この記録媒体処理装置に接続され、前記記録媒体処理装置を制御する制御装置と、を備える記録媒体処理システムであって、
前記制御装置は、前記記録媒体処理装置を制御しながら、
前記情報読取部によって読み取った記録媒体に記録された情報を取得し、当該記録媒体を前記第１収納部へ搬送している間に、前記取得した情報の正／不正を判別し、正と判別した場合、当該記録媒体を前記第１収納部に収納する一方、不正と判別した場合、前記収納部間搬送部により当該記録媒体を前記第１収納部から前記第２収納部へと搬送することを特徴とする記録媒体処理システム。
【請求項６】
記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置を制御して、
前記情報読取部によって記録媒体に記録された情報を読み取り、当該記録媒体を前記第１収納部へ搬送すると共に、当該記録媒体を前記第１収納部へ搬送している間に、前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により、当該記録媒体を前記第１収納部から前記第２収納部へと搬送することを特徴とする記録媒体処理装置の制御方法。
【請求項７】
記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置を制御する制御部により実行されるプログラムであって、
前記制御部を、
前記情報読取部によって記録媒体に記録された情報を読み取り、当該記録媒体を前記第１収納部へ搬送すると共に、当該記録媒体を前記第１収納部へ搬送している間に、前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により、当該記録媒体を前記第１収納部から前記第２収納部へと搬送する制御部として機能させることを特徴とするプログラム。
【発明の詳細な説明】
【技術分野】
【０００１】
本発明は、記録媒体を処理する記録媒体処理装置、記録媒体処理システム、当該記録媒体処理装置の制御方法、及び、当該記録媒体処理装置を制御するためのプログラムに関する。
【背景技術】
【０００２】
従来、小切手等の記録媒体上の磁気インク文字を読み取る磁気ヘッドを備え、搬送路を搬送される記録媒体の磁気インク文字（記録媒体に記録された情報）を読み取る記録媒体処理装置（小切手類読取装置）が知られている（例えば、特許文献１参照）。この種の記録媒体処理装置では、磁気インク文字の読み取り結果に応じて、自動で、処理済みの記録媒体を収納する場所を変更することにより、読み取りが成功したものと、失敗したものとを適切に管理できるようにしたものがある。
【先行技術文献】
【特許文献】
【０００３】
【特許文献１】特開２００４−２０６３６２号公報
【発明の概要】
【発明が解決しようとする課題】
【０００４】
上述のような記録媒体処理装置では、連続して多くの記録媒体の処理が行われことがある。この場合、全ての記録媒体を処理するのに要する時間が長期化するため、情報の読み取り、読み取りの成功／失敗の判別、及び、読み取りが成功した記録媒体と失敗した記録媒体との振り分けを含む処理の効率を向上し、できるだけ処理に要する時間の短縮化を図りたいとするニーズがある。
本発明は、上述した事情に鑑みてなされたものであり、記録媒体に対する処理の効率化を図り、記録媒体に対する処理に要する時間を短縮可能な記録媒体処理装置、記録媒体処理システム、記録媒体処理装置の制御方法、及び、プログラムを提供することを目的とする。
【課題を解決するための手段】
【０００５】
上記目的を達成するために、本発明は、記録媒体の搬送路と、この搬送路を搬送される記録媒体に記録された情報を読み取る情報読取部と、前記情報読取部による情報の読み取りの結果の正／不正を判別する判別部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部と、前記情報読取部によって記録媒体に記録された情報を読み取り、当該記録媒体を前記第１収納部へ搬送すると共に、当該記録媒体を前記第１収納部へ搬送している間に前記判別部により前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により当該記録媒体を前記第１収納部から前記第２収納部へと搬送する制御部と、を備えることを特徴とする。
この構成によれば、情報読取部によって記録媒体に記録された情報が読み取り、記録媒体が第１収納部へ搬送すると共に、当該搬送中に読み取りの結果の正／不正が判別され、正の場合は、第１収納部に収納すると共に、不正の場合に第１収納部から第２収納部へ搬送される。ここで、従来は、情報読取部によって情報が読み取られた後、読み取り結果の正／不正が判別され、この判別結果がでて初めて判別結果に基づいて記録媒体を第１収納部に収納すべきか第２収納部に収納すべきか判別し、この判別結果に基づいて、記録媒体を第１収納部又は第２収納部のいずれかに搬送できるようにするための機構を作動させた上で、記録媒体をいずれかの収納部に搬送して収納していた。上記構成では、従来と比較して、読み取り結果の正／不正の判別結果を待つ待ち時間や、記録媒体を第１収納部又は第２収納部のいずれかに搬送できるようにするための機構の作動に要する時間が不要となり、処理効率が向上し、処理に要する時間の短縮化を図ることができる。
【０００６】
ここで、上記発明の記録媒体処理装置であって、前記収納部間搬送部の少なくとも一部は、前記第１収納部内に配置することが好ましい。
この構成によれば、第１収納部に搬送している間に読み取り結果の正／不正の判別し、不正の場合は、引き続き第２収納部へ搬送できる。
【０００７】
また、上記発明の記録媒体処理装置であって、前記情報読取部は、記録媒体に記録された磁気インク文字を読み取る磁気インク文字読取部と、情報に係る画像を光学的に読み取る光学情報読取部とのうち少なくとも一方を備え、前記制御部は、前記情報読取部によって記録媒体に記録された磁気インク文字又は情報に係る画像を読み取り、当該記録媒体を前記第１収納部へ搬送すると共に、当該記録媒体を前記第１収納部へ搬送している間に、前記判別部によって前記情報読取部による前記磁気インク文字又は情報に係る画像の読み取りが成功したか否かを判別し、読み取りが成功したと判別した場合、当該記録媒体を前記第１収納部に収納する一方、読み取りが失敗したと判別した場合、前記収納部間搬送部により当該記録媒体を前記第１収納部から前記第２収納部へと搬送するようにしてもよい。
この構成によれば、情報読取部によって記録媒体に記録された情報を読み取り、記録媒体を第１収納部へ搬送すると共に、当該搬送中に磁気インク文字又は情報に係る画像の読み取りが成功したか否かが判別され、成功の場合は、第１収納部に収納すると共に、失敗の場合に、前記収納部間搬送部により第１収納部から第２収納部へ搬送される。このため、磁気インク文字又は情報に係る画像の読み取り結果に応じて、記録媒体を第１収納部及び第２収納部のいずれかに適切に振り分けた上で、処理効率の向上、及び、処理に要する時間の短縮化を図ることができる。
【０００８】
また、上記発明の記録媒体処理装置であって、前記第１収納部の上流に設けられ、前記搬送路を搬送される記録媒体の画像を光学的に読み取る光学画像読取部を備え、前記制御部は、前記情報読取部によって記録媒体に記録された情報を読み取り、当該記録媒体を前記第１収納部へ搬送すると共に、当該記録媒体を前記第１収納部へ搬送している間に前記判別部により前記情報読取部による情報の読み取りの結果の正／不正を判別すると共に、前記光学画像読取部により読み取られた画像の処理を行うようにしてもよい。
この構成によれば、記録媒体を第１収納部に搬送している間に、情報の読み取り結果の正／不正と併せて、光学画像読取部によって読み取った画像の処理が実行されるため、光学画像読取部によって読み取った画像の処理に起因する待ち時間が発生することを防止でき、処理効率の向上、及び、処理に要する時間の短縮化を図ることができる。
【０００９】
また、上記目的を達成するために、本発明は、記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置と、この記録媒体処理装置に接続され、前記記録媒体処理装置を制御する制御装置と、を備える記録媒体処理システムであって、前記制御装置は、前記記録媒体処理装置を制御しながら、前記情報読取部によって読み取った記録媒体に記録された情報を取得し、当該記録媒体を前記第１収納部へ搬送している間に、前記取得した情報の正／不正を判別し、正と判別した場合、当該記録媒体を前記第１収納部に収納する一方、不正と判別した場合、前記収納部間搬送部により当該記録媒体を前記第１収納部から前記第２収納部へと搬送することを特徴とする。
この構成によれば、情報読取部によって読み取った記録媒体に記録された情報を取得した後、記録媒体を第１収納部へ搬送中に取得した情報の正／不正を判別し、正の場合は、第１収納部に収納すると共に、不正の場合に第１収納部から第２収納部へ搬送する。ここで、従来は、情報読取部によって情報が読み取られた後、読み取り結果の正／不正が判別され、この判別結果がでて初めて判別結果に基づいて記録媒体を第１収納部に収納すべきか第２収納部に収納すべきか判別し、この判別結果に基づいて、記録媒体を第１収納部又は第２収納部のいずれかに搬送できるようにするための機構を作動させた上で、記録媒体をいずれかの収納部に搬送して収納していたが、上記構成では、従来と比較して、読み取り結果の正／不正の判別結果を待つ待ち時間や、記録媒体を第１収納部又は第２収納部のいずれかに搬送できるようにするための機構の作動に要する時間が不要となり、処理効率が向上し、処理に要する時間の短縮化を図ることができる。
【００１０】
また、上記目的を達成するために、本発明は、記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置を制御して、前記情報読取部によって記録媒体に記録された情報を読み取り、当該記録媒体を前記第１収納部へ搬送すると共に、当該記録媒体を前記第１収納部へ搬送している間に、前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により、当該記録媒体を前記第１収納部から前記第２収納部へと搬送することを特徴とする。
この制御方法によれば、情報読取部によって記録媒体に記録された情報を読み取り、記録媒体を第１収納部へ搬送すると共に、当該搬送中に読み取りの結果の正／不正が判別され、正の場合は、第１収納部に収納すると共に、不正の場合に第１収納部から第２収納部へ搬送する。ここで、従来は、情報読取部によって情報が読み取られた後、読み取り結果の正／不正が判別され、この判別結果がでて初めて判別結果に基づいて記録媒体を第１収納部に収納すべきか第２収納部に収納すべきか判別し、この判別結果に基づいて、記録媒体を第１収納部又は第２収納部のいずれかに搬送できるようにするための機構を作動させた上で、記録媒体をいずれかの収納部に搬送して収納していたが、上記構成では、従来と比較して、読み取り結果の正／不正の判別結果を待つ待ち時間や、記録媒体を第１収納部又は第２収納部のいずれかに搬送できるようにするための機構の作動に要する時間が不要となり、処理効率が向上し、処理に要する時間の短縮化を図ることができる。
【００１１】
また、上記目的を達成するために、本発明は、記録媒体の搬送路と、この搬送路を搬送される記録媒体に記録された情報を読み取る情報読取部と、前記搬送路上で前記情報読取部の下流に設けられ、記録媒体を収納可能な第１収納部と、この第１収納部の下流に設けられ、記録媒体を収納可能な第２収納部と、前記第１収納部から前記第２収納部へ記録媒体を搬送する収納部間搬送部を備える記録媒体処理装置を制御する制御部により実行されるプログラムであって、前記制御部を、前記情報読取部によって記録媒体に記録された情報を読み取り、当該記録媒体を前記第１収納部へ搬送すると共に、当該記録媒体を前記第１収納部へ搬送している間に、前記情報読取部による情報の読み取りの結果の正／不正を判別し、読み取りの結果が正と判別した場合、当該記録媒体を前記第１収納部に収納する一方、読み取りの結果が不正と判別した場合、前記収納部間搬送部により、当該記録媒体を前記第１収納部から前記第２収納部へと搬送する制御部として機能させることを特徴とする。
このプログラムを実行すれば、情報読取部によって記録媒体に記録された情報を読み取り、記録媒体を第１収納部へ搬送すると共に、当該搬送中に読み取りの結果の正／不正が判別され、正の場合は、第１収納部に収納すると共に、不正の場合に、前記収納部間搬送部により第１収納部から第２収納部へ搬送される。ここで、従来は、情報読取部によって情報が読み取られた後、読み取り結果の正／不正が判別され、この判別結果がでて初めて判別結果に基づいて記録媒体を第１収納部に収納すべきか第２収納部に収納すべきか判別し、この判別結果に基づいて、記録媒体を第１収納部又は第２収納部のいずれかに搬送できるようにするための機構を作動させた上で、記録媒体をいずれかの収納部に搬送して収納していたが、上記構成では、従来と比較して、読み取り結果の正／不正の判別結果を待つ待ち時間や、記録媒体を第１収納部又は第２収納部のいずれかに搬送できるようにするための機構の作動に要する時間が不要となり、処理効率が向上し、処理に要する時間の短縮化を図ることができる。
【発明の効果】
【００１２】
本発明によれば、記録媒体に対する処理の効率化を図り、記録媒体に対する処理の短縮化を実現できる。
【図面の簡単な説明】
【００１３】
【図１】本実施形態に係る小切手処理装置の内部構造を示す説明図である。
【図２】小切手処理装置及びホストコンピューターの制御系を示すブロック図。
【図３】磁気ヘッドの検出信号波形の例を示す信号波形図である。
【図４】従来の小切手処理装置を模式的に示す図である。
【図５】ホストコンピューターの動作を示すフローチャートである。
【図６】小切手処理装置の要部を示す図である。
【発明を実施するための形態】
【００１４】
以下、図面を参照して本発明の実施形態について説明する。
図１（Ａ）は、本実施の形態に係る小切手処理装置１の内部構造を示す図である。
小切手処理装置１は、シート状の記録媒体である小切手４に対し、小切手４に記録された磁気インク文字列４Ａの読み取りや、小切手４の両面の画像の読み取り、小切手４に対する裏書きに係る所定の画像の記録等の処理を行う装置である。図１（Ｂ）に示すように、小切手４の表面４ａには、金額、振出人、番号、サインなどが記載されており、その下端部分には、長辺方向に延びる磁気インク文字列４Ａが記録されている。また、小切手４の裏面には、裏書き欄が形成されている。この裏書き欄に、後述する記録装置５６によって、裏書きに係る所定の画像が記録される。
【００１５】
図１（Ａ）に示すように、小切手処理装置１には、上から見た場合にＵ形状をした細幅の垂直溝からなる小切手４の搬送路５が形成されており、この搬送路５の一方の端は広幅の垂直溝からなる小切手供給部６に連通しており、搬送路５の他方の端は収納部入口開口９０を介して広幅の垂直溝からなる第１小切手排出部７（第１収納部）に繋がっており、さらに、この第１小切手排出部７は、細幅の垂直溝からなる収納部間搬送路１０１を介して第２小切手排出部８（第２収納部）に繋がっている。
【００１６】
小切手供給部６には、小切手４を搬送路５に送り出すための小切手送り出し機構１０が配置されている。小切手送り出し機構１０は、繰り出しローラー１１、送り出しローラー１２、この送り出しローラー１２に押し付けられているリタードローラー１３、送り出し用モーター１４、及び小切手押し付け用のホッパー１５を備えている。送り出し用モーター１４が駆動すると、小切手供給部６に入れた小切手４がホッパー１５によって繰り出しローラー１１の側に押し付けられ、この状態で、繰り出しローラー１１及び送り出しローラー１２が同期回転する。繰り出しローラー１１によって小切手４は送り出しローラー１２とリタードローラー１３の間に送り込まれる。リタードローラー１３には所定の回転負荷が与えられており、送り出しローラー１２に直接に接触している一枚の小切手４のみが他の小切手４から分離されて搬送路５に送り出される。
搬送路５は上述したようにＵ形状をしており、小切手供給部６に繋がっている直線状の上流側搬送路部分２１と、第１小切手排出部７に繋がっている僅かに折れ曲がった状態で延びている下流側搬送路部分２３と、これらの間を繋ぐ湾曲搬送路部分２２とを備えている。
【００１７】
小切手供給部６から搬送路５に送り出された小切手４を当該搬送路５に沿って搬送する小切手搬送機構３０は、第１〜第６搬送ローラー３１〜３６と、これらに押し付けられて連れ回りする第１〜第６押圧ローラー４１〜４６と、第１〜第６搬送ローラー３１〜３６を回転駆動するための搬送用モーター３７とを備えている。第１〜第６搬送ローラー３１〜３６は同期して回転するようになっている。搬送用モーター３７として、例えばステッピングモーターが用いられている。このため、ステッピングモーターを駆動するステップ数により、小切手４の搬送量を知ることができる。
第１〜第３搬送ローラー３１〜３３は、上流側搬送路部分２１における上流端、その中程の位置、及び湾曲搬送路部分２２との境界位置にそれぞれ配置されている。第４搬送ローラー３４は湾曲搬送路部分２２における下流側の位置に配置されている。第５搬送ローラー３５及び第６搬送ローラー３６は、下流側搬送路部分２３における中程の位置及び下流端にそれぞれ配置されている。
【００１８】
上流側搬送路部分２１における第１搬送ローラー３１及び第２搬送ローラー３２の間には、その上流側から磁気インク文字着磁用の磁石５１、表面側コンタクトイメージスキャナー５２（情報読取部、光学情報読取部）、裏面側コンタクトイメージスキャナー５３（情報読取部、光学情報読取部）が配置されている。表面側コンタクトイメージスキャナー５２は、小切手４の表面４ａの画像である表面画像を読み取る装置である。一方、裏面側コンタクトイメージスキャナー５３は、小切手４の裏面の画像である裏面画像を読み取る装置である。
【００１９】
また、第２搬送ローラー３２及び第３搬送ローラー３３の間には、磁気インク文字読取用の磁気ヘッド５４（情報読取部、磁気インク文字読取部）が配置されており、磁気ヘッド５４には、当該ヘッドに小切手４を押し付けるための押圧ローラー５５が対峙している。
下流側搬送路部分２３における第５搬送ローラー３５及び第６搬送ローラー３６の間には、裏書きに係る所定の画像の記録用の記録装置５６が配置されている。記録装置５６は、搬送路５を搬送される小切手４の裏面の適切な位置に、適切な方向で所定の画像を記録可能な、印刷ヘッドやスタンプなどを備えている。
【００２０】
搬送路５には、小切手搬送制御のための各種センサーが配置されている。磁石５１の手前側の位置には、送り出される小切手４の長さを検出するための用紙長検出器６１が配置されている。裏面側コンタクトイメージスキャナー５３と第２搬送ローラー３２の間には、小切手４が重なった状態で搬送されていることを検出するための重送検出器６２が配置されている。第４搬送ローラー３４の手前側の位置にはジャム検出器６３が配置されており、この検出器によって所定時間以上に亘って継続して小切手４が検出されている場合には、搬送路５に小切手４が詰まった紙詰まり状態になったことが分かる。第５搬送ローラー３５の手間側の位置には、記録装置５６によって裏書きされる小切手４の有無を検出するための印刷検出器６４が配置されている。さらに、第６搬送ローラー３６の下流側には、第１小切手排出部７に排出される小切手４を検出するための排出検出器６５が配置されている。
【００２１】
第１小切手排出部７の内部には、収納部切替部９１が設けられ、この収納部切替部９１は、先端切替部９２と、収納部内搬送ローラー９３とを備えている。先端切替部９２は、上面視十字状で、垂直方向に延在する部材であり、先端切替モーター９５（図２）の駆動の下、中心Ｃを中心として回転可能に構成されている。先端切替部９２において、中心Ｃから９０度ずつずれて径方向へ延びる４つの片９６のそれぞれは、ゴム等の弾性部材によって形成されている。そして、先端切替部９２が中心Ｃを中心として回転した場合、第１小切手排出部７の一方の壁面９７に、片９６の先端が接触して弾性変形しつつ、先端切替部９２の回転がなされる構成となっている。
収納部内搬送ローラー９３は、第１小切手排出部７において先端切替部９２の下流側（収納部入口開口９０と反対の側）に設けられたローラーであり、収納部内搬送モーター９８（図２）の駆動に従って駆動する。収納部内搬送ローラー９３に対向して、このローラーに押し付けられて連れ回りする収納部内押圧ローラー９９が設けられている。
第１小切手排出部７において、収納部切替部９１よりも第２小切手排出部８側には、小切手４が収納される小切手収納位置１００が形成されている。本実施形態では、情報の読み取りが成功した小切手４は、この小切手収納位置１００に収納される。
【００２２】
また、第１小切手排出部７の端部には、収納部間搬送路１０１が接続され、この収納部間搬送路１０１を介して第１小切手排出部７と第２小切手排出部８とが連結されている。収納部間搬送路１０１上には、収納部間搬送路１０１において第１小切手排出部７から第２小切手排出部８へ向かって小切手４を搬送するための第１収納部間搬送ローラー１０２、第２収納部間搬送ローラー１０３、及び、これらローラーに押し付けられて連れ回りする第１収納部間押圧ローラー１０４、第２収納部間押圧ローラー１０５が配置されている。第１収納部間搬送ローラー１０２、及び、第２収納部間搬送ローラー１０３は、収納部間搬送モーター１０７の駆動に従って同期して駆動する。
本実施形態に係る小切手処理装置１は、詳細は後述するが、第６搬送ローラー３６、収納部切替部９１、第１収納部間搬送ローラー１０２、及び、第２収納部間搬送ローラー１０３が協働して第１小切手排出部７から第２小切手排出部８へ小切手４を搬送可能な構成となっており、これら部材が収納部間搬送部として機能する。
【００２３】
図２は、小切手処理装置１の制御系を示す概略ブロック図である。
小切手処理装置１は、ＣＰＵ、ＲＯＭ、ＲＡＭ等を備えて構成された制御部７１を備えている。
制御部７１には、上述した用紙長検出器６１、重送検出器６２、ジャム検出器６３、印刷検出器６４及び排出検出器６５が接続されこれら検出器が検出した信号が入力される。
また、制御部７１は、これら検出器から入力された検出信号に基づいて、小切手送り出し用モーター１４、搬送用モーター３７を駆動して小切手４を一枚ずつ搬送路５に送り出させ、送り出された小切手４を搬送路５に沿って搬送させる。
また、制御部７１は、搬送用モーター３７、先端切替モーター９５、収納部内搬送モーター９８、及び、収納部間搬送モーター１０７を駆動して、第１小切手排出部７から第２小切手排出部８へ小切手４を搬送する。
小切手４の搬送に伴って、表面側コンタクトイメージスキャナー５２、及び、裏面側コンタクトイメージスキャナー５３は、これらスキャナーのそれぞれが読み取った小切手４の両面の画像を示すデータを制御部７１に出力する。
また、磁気ヘッド５４は、通過する磁気インク文字列４Ａによって形成される磁界の変化によって発生する起電力を検出信号として信号処理回路７４に出力する。信号処理回路７４は、入力された検出信号を、増幅し波形整形しデジタル信号に変換した上で、制御部７１に出力する。そして、制御部７１は、これら画像を示すデータ、及び、検出信号を示すデータを後述するホストコンピューター７０のホスト側制御部７３に送信する。
また、制御部７１には、電源スイッチなどの操作スイッチを含む操作部７５が接続されている。
【００２４】
小切手処理装置１には、通信ケーブル７２を介してホストコンピューター７０が接続されている。
ホストコンピューター７０は、ＣＰＵ、ＲＯＭ、ＲＡＭ等を備えて構成されたホスト側制御部７３を備えている。
このホスト側制御部７３には、各種情報を表示可能な表示器７３ａと、キーボード、マウス等の入力デバイスが接続された操作部７３ｂと、が接続されている。
また、ホスト側制御部７３には、ハードディスクや、ＥＥＰＲＯＭ等の書き換え可能に各種データを記憶する記憶部８１が接続されている。記憶部８１には、小切手画像データベース８２が記憶されている。
小切手画像データベース８２は、小切手処理装置１によって読み取られた小切手４の表面４ａの表面画像を表面の画像として記憶すると共に、裏面の裏面画像を裏面の画像として記憶するデータベースである。これら小切手４の表面の画像、及び、裏面の画像は、当該小切手４に記録された磁気インク文字が示す情報と対応づけて記憶される。
本実施形態では、ホストコンピューター７０のホスト側制御部７３の制御の下、小切手処理装置１の制御部７１が小切手処理装置１の各部を制御する。具体的には、ホスト側制御部７３は、そのＣＰＵがＲＯＭに記憶されたプログラムを実行し、制御部７１に対して制御データを送信することにより、小切手処理装置１を制御する。また、本実施形態では、小切手処理装置１及びホストコンピューター７０が協働して、記録媒体処理装置として機能する。
【００２５】
ホストコンピューター７０のホスト側制御部７３は、磁気インク文字認識部１１０と、光学文字認識部１１１と、判別部１１２とを備えている。
磁気インク文字認識部１１０は、小切手処理装置１から受信した検出信号を示すデータに基づいて、磁気ヘッド５４により検出された検出信号を、磁気インク文字の検出信号波形に対応するデジタルパターンを示す文字信号パターンと照合して検出信号をパターン認識し、これにより、小切手４に記録された磁気インク文字が示す情報をデータとして取得する。
【００２６】
図３は、磁気ヘッド５４が表面４ａと対向した状態で、磁気ヘッド５４により磁気インク文字列４Ａの読み取りを行った場合における、磁気ヘッド５４の検出信号の波形を磁気インク文字と対応させて示す信号波形図である。公知のように、磁気ヘッド５４からは、その読取位置を所定の速度で通過する小切手４の磁気インク文字列４Ａに含まれている各磁気インク文字に応じた特有の検出信号波形が出力される。これらの検出信号波形に対応するデジタルデータパターンを文字信号パターンとして予め記憶しておき、磁気ヘッド５４によって実際に検出された検出信号波形のデジタルデータを文字信号パターンと照合することにより文字認識を行うことができる。
【００２７】
光学文字認識部１１１は、表面側コンタクトイメージスキャナー５２の検出値として、制御部７１から入力されたデータに基づいて、小切手４に記録された磁気インク文字に係る画像を光学的に読み取り、これにより、磁気インク文字が示す情報をデータとして取得する。
本実施形態に係るホスト側制御部７３は、磁気インク文字認識部１１０及び光学文字認識部１１１を備えているが、ユーザーは、いずれか一方の認識部を利用するか、また、両方の認識部を利用するかを事前に指示することができる。
【００２８】
判別部１１２は、磁気インク文字認識部１１０によって磁気インク文字の認識を行うことが指示されている場合には、この磁気インク文字認識部１１０による磁気インク文字を構成する全ての文字についての認識が成功したか否かを判別し、また、光学文字認識部１１１によって磁気インク文字の認識を行うことが指示されている場合には、この光学文字認識部１１１による磁気インク文字の認識が成功したか否かを判別する。
なお、以下の説明において、磁気インク文字認識部１１０による磁気インク文字の認識、及び、光学文字認識部１１１による磁気インク文字に係る画像の光学的認識を総称して、小切手４に記録された情報の読み取りと表現することがあるものとする。
また、「情報読取部による情報の読み取りの結果が正」とは、磁気インク文字認識部１１０及び／又は光学文字認識部１１１によって磁気インク文字を構成する全ての文字の認識が成功（＝小切手４に記録された情報の読み取りが成功）したことをいう。
本実施形態に係る小切手処理装置１では、詳細は後述するが、判別部１１２によって小切手４に記録された情報の読み取りが成功したと判別された場合は、当該小切手４が第１小切手排出部７に排出されて収納され、一方、判別部１１２によって小切手４に記録された情報の読み取りが失敗したと判別された場合は、当該小切手４が第２小切手排出部８に排出されて収納される構成となっている。
【００２９】
本実施形態に係る小切手処理装置１は、従来と比較して、小切手４の処理に要する時間、すなわち、小切手供給部６に供給された小切手４が搬送路５を搬送され、搬送路５を搬送されている間に、表面側コンタクトイメージスキャナー５２及び裏面側コンタクトイメージスキャナー５３によってその表面及び裏面の画像が読み取られ、磁気ヘッド５４によって磁気インク文字が読み取られ、これらの読み取り結果に基づいて判別部１１２により情報の読み取りが成功したか否か判別され、この判別部１１２の判別結果に応じて、読み取りが成功した小切手４を第１小切手排出部７に排出、収納し、読み取りが失敗した小切手を第２小切手排出部８に排出、収納するまでの一連の処理に要する時間の短縮を図っている。
なお、以下の説明では、発明の明確化のため、記録装置５６による裏書きに係る処理は行わないものとする。
【００３０】
図４は、従来の小切手処理装置１ａを模式的に示す図である。
図４に示すように、従来の小切手処理装置１ａでは、小切手供給部６ａの端部からＵ字状に搬送路５ａが延びており、この搬送路５ａ上に、本実施形態に係る小切手処理装置１と同様、表面側コンタクトイメージスキャナー５２ａ、裏面側コンタクトイメージスキャナー５３ａ、及び、磁気ヘッド５４ａが配置されている。搬送路５ａの端部には収納部切替機構１１３が接続されており、この収納部切替機構１１３に第１小切手排出部７ａに接続された第１搬送路１１４と第２小切手排出部８ａに接続された第２搬送路１１５とが接続されている。収納部切替機構１１３は、搬送路５ａから流れてきた小切手４について、判別部１１２による判別に応じて、小切手４が搬送される搬送路を、第１搬送路又は第２搬送路のいずれかに切り替える機構である。
【００３１】
従来の小切手処理装置１ａでは、以下のような手順で小切手４に対する一連の処理が実行される。
すなわち、図４を参照して、小切手供給部６ａに供給された小切手４は搬送路５ａを介して収納部切替機構１１３に搬送される。この搬送中に、表面側コンタクトイメージスキャナー５２ａ及び裏面側コンタクトイメージスキャナー５３ａによる表面及び裏面の画像が読み取り、及び、磁気ヘッド５４ａによる磁気インク文字の読み取りが実行される。小切手供給部６ａから収納部切替機構１１３に至るまでの搬送には、Ｔ１時間を要する。
次いで、収納部切替機構１１３に小切手４が搬送されたときに、各読取装置により読み取ったデータのホストコンピューター７０への出力や、判別部１１２による情報の読み取りの成功／失敗の判別、ホストコンピューター７０による小切手画像データベース８２のレコードの生成等の処理が実行される。そして、ホストコンピューター７０のホスト側制御部７３は、判別部１１２による判別結果に基づいて、収納部切替機構１１３を作動させて、小切手４を搬送する搬送路を第１搬送路又は第２搬送路のいずれかに切り替える。上記の各種処理や、収納部切替機構１１３の作動には、Ｔ２時間を要する。
次いで、収納部切替機構１１３から、第１小切手排出部７又は第２小切手排出部８のいずれかに小切手４が搬送され、これら排出部のいずれかに小切手４が収納された状態となる。収納部切替機構１１３から第１小切手排出部７又は第２小切手排出部８のいずれかに小切手４が搬送されるまでには、Ｔ３時間を要する。
このように、従来の小切手処理装置１ａでは、小切手４に対する一連の処理に、（Ｔ１＋Ｔ２＋Ｔ３）時間要していたが、本実施形態に係る小切手処理装置１では、処理の効率化を実現し、これよりも短い時間で小切手４に対して一連の処理を実行できる構成となっている。
【００３２】
図５は、ホストコンピューター７０の動作を示すフローチャートである。
以下の動作において、ホストコンピューター７０のホスト側制御部７３は、小切手４に記録された情報の読み取り結果に応じて、小切手４が第１小切手排出部７に収納された状態を維持し、また、第１小切手排出部７から第２小切手排出部８へ小切手４を搬送する制御部として機能する。
【００３３】
ホストコンピューター７０のホスト側制御部７３は、処理の開始が指示されたか否かを監視する（ステップＳＡ１）。処理の開始が指示された場合（ステップＳＡ１：ＹＥＳ）、ホスト側制御部７３は、小切手送り出し機構１０及び小切手搬送機構３０を制御して、小切手供給部６に挿入された小切手４を一枚ずつ送り出し（ステップＳＡ２）、搬送路５に沿って搬送させる（ステップＳＡ３）。ここで、搬送される小切手４の先頭位置は、用紙長検出器６１によって小切手４の先頭が検出された時点からの搬送用モーター３７のステップ数により管理される。
本実施形態では、小切手４は、従来の小切手処理装置１ａと異なり、搬送途中で搬送が一時的に停止されること無く、第１小切手排出部７に至るまで搬送される。
【００３４】
小切手４の搬送に伴い、表面側コンタクトイメージスキャナー５２及び裏面側コンタクトイメージスキャナー５３によって小切手４の両面の画像が読み取られると共に、磁気ヘッド５４によって小切手４に記録された磁気インク文字が読み取られ（ステップＳＡ４）、読み取られた画像を示すデータ、及び、磁気ヘッド５４が検出した信号を示すデータが、ホスト側制御部７３に入力される（ステップＳＡ５）。
ホスト側制御部７３は、入力されたデータに基づいて、小切手画像データベース８２のレコードを生成する。また、ホスト側制御部７３の判別部１１２は、入力されたデータに基づいて、小切手４に記録された情報の読み取りが成功したか否かを判別する（ステップＳＡ６）。表面側コンタクトイメージスキャナー５２、裏面側コンタクトイメージスキャナー５３、及び、磁気ヘッド５４に読み取られた情報に係るデータのホストコンピューター７０への出力や、ホストコンピューター７０による小切手画像データベース８２のレコードの生成、判別部１１２による判別等の各種処理は、小切手４の第１小切手排出部７への搬送と同時並行的に行われる。
【００３５】
次いで、ホスト側制御部７３は、排出検出器６５の検出値、及び、第６搬送ローラー３６を駆動する搬送用モーター３７のステップ数に基づいて、小切手４が第１小切手排出部７における収納準備位置に至ったか否かを監視する（ステップＳＡ７）。
【００３６】
図６は、小切手処理装置１の要部を示す図である。図６では、説明の便宜のため、小切手４を拡大した状態で記載している。
図６（Ａ）は、収納準備位置に至った状態の小切手４の様子を示している。
図６（Ａ）に示すように、先端切替部９２は、待機状態（小切手４が第１小切手排出部７へ搬送されておらず、先端切替部９２の作動が停止されている状態）では、隣接する２つの片９６によって形成されるＶ字状の溝が、収納部入口開口９０に対向した状態とされる。そして、収納準備位置とは、小切手４の先端４ｂが隣接する２つの片９６によって形成されるＶ字状の溝の底に当接した状態のことをいう。
なお、本実施形態では、上述したように、小切手４の搬送中に、ホストコンピューター７０の判別部１１２による判別が実行される。このため、小切手４が収納準備位置に至る前に、小切手４に記録された情報の読み取りの成功／失敗の判別は終了している。
【００３７】
ステップＳＡ７において、小切手４が収納準備位置に至った場合（ステップＳＡ７：ＹＥＳ）、ホスト側制御部７３は、判別部１１２の判別結果に基づいて、小切手４に記録された情報の読み取りが成功したか否かを判別する（ステップＳＡ８）。
情報の読み取りが成功した場合（ステップＳＡ８：ＹＥＳ）、すなわち、小切手４を第１小切手排出部７に収納すべき場合、ホスト側制御部７３は、第６搬送ローラー３６と、先端切替部９２との協働により、小切手４を第１小切手排出部７に収納する（ステップＳＡ９）。
【００３８】
図６（Ｂ）は、ステップＳＡ９の動作を説明するための、小切手処理装置１の要部を示す図である。
ステップＳＡ９において、ホスト側制御部７３は、第６搬送ローラー３６を回転して小切手４を第１小切手排出部７へ向かって搬送しつつ、中心Ｃを中心として先端切替部９２を時計回りに回転させる。これにより、小切手４の先端４ｂが、先端切替部９２によって、第１小切手排出部７における小切手収納位置１００に案内され、図６（Ｂ）の矢印Ｙ１に示すように小切手４が小切手収納位置１００へ向かって移動し、小切手収納位置１００に小切手４が収納される。
ここで、小切手４が収納準備位置に至るまでの作動と、小切手４が収納準備位置から小切手収納位置１００に至るまでの作動は、小切手４が収納準備位置に至ったときに小切手４の搬送が一時的に停止されることなく、連続一体的に行われる。このため、先端切替部９２が存在せず小切手４を単純に第１小切手排出部７に搬送して収納する場合と、先端切替部９２が存在しこの先端切替部９２を利用して小切手４を収納準備位置に導いた上で、小切手４を第１小切手排出部７に収納する場合との２つの場合について、小切手４の先端４ｂが収納部入口開口９０を通過してから当該小切手４が第１小切手排出部７に収納されるまでに要する時間を比較した場合、ほぼ同一の時間となる。このように、本実施形態では、小切手４が収納準備位置に至ったときに小切手４の搬送を一時的に停止することなく、先端切替部９２を作動して小切手４を収納準備位置に導いているが、これは、小切手４が第１収納部へ搬送されている間に判別部１１２による判別が実行され、これにより小切手４が収納準備位置に至ったときには判別部１１２による判別の結果が出力されているため実現できる。
【００３９】
一方、ステップＳＡ８において、情報の読み取りが失敗した場合（ステップＳＡ８：ＮＯ）、すなわち、小切手４を第２小切手排出部８に収納すべき場合、ホスト側制御部７３は、第６搬送ローラー３６、先端切替部９２、収納部内搬送ローラー９３、第１収納部間搬送ローラー１０２、及び、第２収納部間搬送ローラー１０３を協働させて、小切手４を第２小切手排出部８に収納する（ステップＳＡ１０）。
【００４０】
図６（Ｃ）は、ステップＳＡ１０の動作を説明するための、小切手処理装置１の要部を示す図である。
ステップＳＡ１０において、ホスト側制御部７３は、第６搬送ローラー３６を回転して小切手４を第１小切手排出部７へ向かって搬送しつつ、中心Ｃを中心として先端切替部９２を反時計回りに回転させる。これにより、図６（Ｃ）の矢印Ｙ２に示すように、小切手４の先端４ｂは第１小切手排出部７の壁面９７に沿って、収納部間搬送路１０１へ向かって移動し、収納部内搬送ローラー９３と、収納部内押圧ローラー９９とに挟持される。そして、収納部内搬送ローラー９３の駆動に応じて、小切手４の先端４ｂは、収納部間搬送路１０１内へ進入し、第１収納部間搬送ローラー１０２、及び、第２収納部間搬送ローラー１０３の駆動に応じて、収納部間搬送路１０１上を第２小切手排出部８へ向かって搬送され、第２小切手排出部８に収納される。
なお、小切手４が収納準備位置に至ってから、当該小切手４が第２小切手排出部８へ搬送され、収納されるまでには、時間Ｔ４を要する。
【００４１】
ここで、小切手４が第１小切手排出部７に収納される場合に、小切手４に対する一連の処理に要する時間について説明する。
本実施形態では、上述した従来の小切手処理装置１ａの様に、小切手４に記録された情報の読み取りの成功／失敗の判別等を含む処理、及び、収納部切替機構１１３の作動のために小切手４の搬送を収納部切替機構１１３において一時停止する必要が無く、従って、これら処理のために発生した時間Ｔ２が必要ない。つまり、小切手供給部６に供給された小切手４が、第１小切手排出部７に収納されるまでに要する時間が（Ｔ１＋Ｔ３）時間に近い時間となり、従来の小切手処理装置１ａと比較して、処理に要する時間の短縮化が実現される。
【００４２】
次いで、小切手４が第２小切手排出部８に収納される場合に、小切手４に対する一連の処理に要する時間について説明する。
本実施形態では、上述した従来の小切手処理装置１ａの様に、小切手４に記録された情報の読み取りの成功／失敗の判別等を含む処理、及び、収納部切替機構１１３の作動のために小切手４の搬送を収納部切替機構１１３において一時停止する必要が無く、従って、これら処理のために発生した時間Ｔ２が必要なくなるものの、第１小切手排出部７から第２小切手排出部８へと小切手４を搬送する必要が生じ、この搬送のための時間Ｔ４が必要となる。従って、従来の小切手処理装置１ａと比較して、必ずしも小切手４の処理に要する時間が短縮されるとは限らない。しかしながら、小切手処理装置１の性質上、判別部１１２によって小切手４に記録された情報の読み取りが失敗したと判別されるケースは希であり、ほとんどの小切手４は、判別部１１２によって読み取りが成功したと判別され、第１小切手排出部７に収納される。このため、複数の小切手４を連続して処理することを想定した場合、本実施形態に係る小切手処理装置１ａは、従来の小切手処理装置１ａと比較して、全ての小切手４の処理に要する時間の短縮を実現できる。
【００４３】
なお、判別部１１２によって小切手４に記録された情報の読み取りが失敗したと判別された場合、収納準備位置に位置する小切手４を第２小切手排出部８へ搬送するのと併せて、小切手供給部６に供給された小切手４（次に処理されるべき小切手４）に対する処理を開始する構成としてもよい。
これによれば、収納準備位置に位置する小切手４を第２小切手排出部８へ搬送する作動と同時並行的に、次の小切手４に対する処理が実行されるため、さらなる処理効率の向上を実現でき、処理に要する時間の短縮化を図ることができる。
【００４４】
以上説明したように、本実施形態では、ホストコンピューター７０のホスト側制御部７３は、小切手４に記録された情報が読み取られた後、小切手４を第１小切手排出部７へ搬送すると共に、小切手４を第１小切手排出部７へ搬送している間に判別部１１２により情報の読み取りが成功したか否かを判別し、読み取りの結果が成功したと判別した場合、小切手４が第１小切手排出部７に収納する一方、読み取りの結果が失敗したと判別した場合、小切手４を第１小切手排出部７から第２小切手排出部８へと搬送する。
これによれば、従来の小切手処理装置１ａと比較して、小切手４に記録された情報の読み取りの成功／失敗の判別結果を待つ待ち時間や、収納部切替機構１１３が作動する時間が不要となり、処理効率が向上し、処理に要する時間の短縮化を図ることができる。
【００４５】
また、本実施形態に係る小切手処理装置１では、収納部間搬送部の構成要素の１つである収納部切替部９１は、第１小切手排出部７に配置されている。
これによれば、第１小切手排出部７に小切手４を搬送している間に、判別部１１２により情報の読み取りが成功したか否かを判別し、読み取りの結果が失敗と判別した場合は、引き続き第２小切手排出部８へ小切手４を搬送でき、処理効率の向上を図ることができる。
【００４６】
また、本実施形態に係る小切手処理装置１は、磁気ヘッド５４、表面側コンタクトイメージスキャナー５２、及び、裏面側コンタクトイメージスキャナー５３を備えると共に、磁気インク文字認識部１１０及び光学文字認識部１１１を備えている。そして、ホスト側制御部７３は、小切手４を第１小切手排出部７へ搬送すると共に、小切手４を第１小切手排出部７へ搬送している間に判別部１１２により磁気インク文字認識部１１０及び／又は光学文字認識部１１１による小切手４に記録された情報の読み取りが成功したか否かを判別し、成功した場合は、小切手４が第１小切手排出部７に収納する一方、失敗した場合、小切手４を第１小切手排出部７から第２小切手排出部８へと搬送する。
これによれば、小切手４を第１小切手排出部７へ搬送している間に磁気インク文字又は情報に係る画像の読み取りが成功したか否かが判別され、成功の場合は、第１小切手排出部７に収納された状態が維持されると共に、失敗の場合に第１小切手排出部７から第２小切手排出部８へ搬送される。このため、磁気インク文字又は情報に係る画像の読み取り結果に応じて、記録媒体を第１小切手排出部７又は第２小切手排出部８のいずれかに適切に振り分けた上で、処理効率の向上、及び、処理に要する時間の短縮化を図ることができる。
【００４７】
また、本実施形態では、第１小切手排出部７の上流に、搬送路５を搬送される小切手４の画像を光学的に読み取る表面側コンタクトイメージスキャナー５２及び裏面側コンタクトイメージスキャナー５３が設けられている。そして、ホスト側制御部７３は、これらコンタクトイメージスキャナーによって小切手４の画像を読み取った後、小切手４を第１小切手排出部７へ搬送している間に、これらコンタクトイメージスキャナーによって読み取った画像に基づいて、小切手画像データベース８２のレコードを生成する。
これによれば、小切手４を第１小切手排出部７に搬送している間に、小切手画像データベースのレコードの生成に係る処理が実行されるため、当該処理に起因する待ち時間が発生することを防止でき、処理効率の向上、及び、処理に要する時間の短縮化を図ることができる。
【００４８】
なお、上述した実施の形態は、あくまでも本発明の一態様を示すものであり、本発明の範囲内で任意に変形及び応用が可能である。
例えば、上述した実施形態では、ホストコンピューター７０が小切手処理装置１を制御することによって、図５のフローチャートに示す動作が実行されていたが、これを、小切手処理装置１単独で実行できるようにしてもよい。
また、上述した実施形態に係る小切手処理装置１は、先端切替部９２や、収納部内搬送ローラー９３、第１収納部間搬送ローラー１０２、第２収納部間搬送ローラー１０３等をそなえ、これら装置が協働して第１小切手排出部７から第２小切手排出部８へ小切手４を搬送していたが、第１小切手排出部７から第２小切手排出部８へ小切手４を搬送する手段はこれに限らず、小切手処理装置１の仕様、大きさ等に応じて適切に設計可能である。
【符号の説明】
【００４９】
１…小切手処理装置（記録媒体処理装置）、４…小切手（記録媒体）、５…搬送路、７…第１小切手排出部（第１収納部）、８…第２小切手排出部（第２収納部）、３６…第６搬送ローラー（収納部間搬送部）、５２…表面側コンタクトイメージスキャナー（情報読取部、光学情報読取部）、５３…裏面側コンタクトイメージスキャナー（情報読取部、光学情報読取部）、５４…磁気ヘッド（情報読取部、磁気インク文字読取部）、７０…ホストコンピューター（記録媒体処理装置）、７３…ホスト側制御部（制御部）、９１…収納部切替部（収納部間搬送部）、９３…収納部内搬送ローラー（収納部間搬送部）、１０２…第１収納部間搬送ローラー（収納部間搬送部）、１０３…第２収納部間搬送ローラー（収納部間搬送部）、１１２…判別部。
【図１】
2011160254.tif 000003
【図２】
2011160254.tif 000004
【図３】
2011160254.tif 000005
【図４】
2011160254.tif 000006
【図５】
2011160254.tif 000007
【図６】
2011160254.tif 000008